(57)【要約】【課題】  従来の代替品の情報を管理する装置においては、代替品の情報の取得方法について特段の配慮がされていない為、必ずしも充分に情報が収集されない、また、収集には多大な労力を要するとの課題がある。【解決手段】  本発明の代替情報管理装置は、代替される資材である被代替資材を特定する被代替資材コードと、代替する資材である代替資材を特定する代替資材コードとを対応付けて記憶する代替情報データベースを備え、被代替資材コードと代替資材コードとを対応付けて、上記代替情報データベースに登録する前に、登録の適否の確認を促す情報を出力し、登録が適当であるとの確認を入力した場合に、上記代替情報データベースに登録する代替情報登録部とを備える。【選択図】        図１
2005259159.tif 000002
【特許請求の範囲】
【請求項１】
以下の要素を有することを特徴とする代替情報管理装置
（１）見積対象となる資材である見積対象資材を特定する見積対象資材コードを含む見積依頼情報を入力する見積依頼入力部、
（２）代替される資材である被代替資材を特定する被代替資材コードと、代替する資材である代替資材を特定する代替資材コードとを対応付けて記憶する代替情報データベース、（３）代替情報データベースから、見積依頼入力部により入力した見積依頼情報に含まれる見積対象資材コードと一致する被代替資材コードを検索し、一致した被代替資材コードと対応付けられている代替資材コードを読み出す代替資材検索部、
（４）代替資材検索部により読み出された代替資材コードにより特定される代替資材についての情報を出力する代替情報出力部、
（５）上記被代替資材コードと上記代替資材コードとを対応付けて、上記代替情報データベースに登録する前に、登録の適否の確認を促す情報を出力し、登録が適当であるとの確認を入力した場合に、上記代替情報データベースに登録する代替情報登録部。
【請求項２】
見積対象資材コードに対応付けて、見積対象資材についての購買規格情報を記憶する購買規格データベースに接続可能であって、以下の要素を有することを特徴とする代替情報管理装置
（１）見積対象となる資材である見積対象資材を特定する見積対象資材コードを含む見積依頼情報を入力する見積依頼入力部、
（２）代替される資材である被代替資材を特定する被代替資材コードと、代替する資材である代替資材を特定する代替資材コードと、被代替資材に関する購買規格情報を特定する購買規格コードとを対応付けて記憶する代替情報データベース、
（３）代替情報データベースから、見積依頼入力部により入力した見積依頼情報に含まれる見積対象資材コードと一致する被代替資材コードを検索し、一致した被代替資材コードと対応付けられている代替資材コードと購買規格コードとを読み出す代替資材検索部、
（４）代替資材検索部により読み出された購買規格コードに対応付けられている購買規格情報を、上記購買規格データベースから読み出し、読み出した購買規格情報と、代替資材検索部により読み出された代替資材コードにより特定される代替資材についての情報とを出力する代替情報出力部。
【請求項３】
以下の要素を有することを特徴とする代替情報管理装置
（１）見積対象となる資材である見積対象資材を特定する見積対象資材コードを含む見積依頼情報を入力する見積依頼入力部、
（２）代替される資材である被代替資材を特定する被代替資材コードと、代替する資材である代替資材を特定する代替資材コードと、代替の条件とを対応付けて記憶する代替情報データベース、
（３）代替情報データベースから、見積依頼入力部により入力した見積依頼情報に含まれる見積対象資材コードと一致する被代替資材コードを検索し、一致した被代替資材コードと対応付けられている代替資材コードと代替の条件とを読み出す代替資材検索部、
（４）代替資材検索部により読み出された代替資材コードにより特定される代替資材についての情報と、前記読み出された代替の条件とを出力する代替情報出力部。
【発明の詳細な説明】
【技術分野】
【０００１】
本発明は、購買対象である資材の代替に関する情報を管理する代替情報管理装置に係り、代替情報の収集の促進を図り、更に妥当な代替をサポートする技術に関する。
【背景技術】
【０００２】
従来、グローバル部品調達システム（特開２０００−１１３０５）のように、代替品の情報を管理する装置が考えられている。従来の装置は、代替品の情報を一元的に管理できるため、コスト軽減のための有利な調達条件を確保する為に有効である。
【０００３】
しかし、従来の装置においては、代替品の情報の取得方法について特段の配慮がされていない為、必ずしも充分に情報が収集されない。また、収集には多大な労力を要する。
【特許文献１】特開２０００−１１３０５
【発明の開示】
【発明が解決しようとする課題】
【０００４】
本発明は、上記した従来技術の欠点を除くためになされたものであって、その目的とするところは、資材提供者からの代替情報の提供を受けるようにすることによって、情報の収集を促進することである。
【０００５】
また、購入者（見積依頼者）側で定める購買規格や、資材提供者側で制限する代替の条件を公開することにより、幅広く代替の機会を創出するとともに、代替による品質を担保することに貢献することを目的とする。
【課題を解決するための手段】
【０００６】
この発明に係る代替情報管理装置は、以下の要素を有することを特徴とする。
（１）見積対象となる資材である見積対象資材を特定する見積対象資材コードを含む見積依頼情報を入力する見積依頼入力部、
（２）代替される資材である被代替資材を特定する被代替資材コードと、代替する資材である代替資材を特定する代替資材コードとを対応付けて記憶する代替情報データベース、
（３）代替情報データベースから、見積依頼入力部により入力した見積依頼情報に含まれる見積対象資材コードと一致する被代替資材コードを検索し、一致した被代替資材コードと対応付けられている代替資材コードを読み出す代替資材検索部、
（４）代替資材検索部により読み出された代替資材コードにより特定される代替資材についての情報を出力する代替情報出力部。
【０００７】
また、代替情報管理装置は、資材提供者のシステムと接続可能であって、
代替情報管理装置は、更に、資材提供者のシステムへ、上記見積対象資材コードを含む見積要求情報を送信する見積要求送信部と、
資材提供者のシステムから、上記見積要求情報に対する見積回答情報と、上記見積対象資材コードにより特定される見積資材に対する代替資材を特定する代替資材コードとを受信する見積回答受信部と、
上記見積対象資材コードを被代替資材コードとして、見積回答受信部により受信した代替資材コードと対応付けて、上記代替情報データベースに登録する代替情報登録部とを有することを特徴とする。
【０００８】
また、代替情報管理装置は、資材提供者のシステムと接続可能であって、
代替情報管理装置は、更に、資材提供者のシステムから、上記被代替資材コードと、上記代替資材コードとを対応付けて受信する代替情報受信部と、
代替情報受信部により受信した上記被代替資材コードと上記代替資材コードとを対応付けて、上記代替情報データベースに登録する代替情報登録部とを有することを特徴とする。
【０００９】
上記代替情報登録部は、上記代替情報データベースに登録する前に、登録の適否の確認を促す情報を出力し、登録が適当であるとの確認を入力した場合に、上記代替情報データベースに登録することを特徴とする。
【００１０】
また、代替情報管理装置は、更に、上記代替情報受信部へ上記被代替資材コードと上記代替資材コードとを対応付けて送信した資材提供者毎に、上記被代替資材コードと上記代替資材コードとを対応付けて送信した回数である代替情報提供回数を記憶する代替情報提供回数記憶部を有し、
上記代替情報出力部は、代替資材ついての情報を出力する場合に、代替資材を特定する代替資材コードを被代替資材コードと対応付けて送信した資材提供者の代替情報提供回数を代替情報提供回数記憶部から読み出し、読み出した代替情報提供回数に応じて、代替資材についての情報の表示画面を生成することを特徴とする。
【００１１】
また、代替情報管理装置は、見積対象資材コードに対応付けて、見積対象資材についての購買規格情報を記憶する購買規格データベースに接続可能であって、
上記代替情報データベースは、被代替資材コードと対応付けて、被代替資材コードにより特定される被代替資材に関する購買規格情報を特定する購買規格コードを記憶し、
上記代替資材検索部は、検索により一致した被代替資材コードと対応付けられている購買規格コードを読み出し、
上記代替情報出力部は、読み出した購買規格コードに対応付けられている購買規格情報を、上記購買規格データベースから読み出し、読み出した購買規格情報を出力することを特徴とする。
【００１２】
上記代替情報データベースは、更に、代替資材コードと対応付けて、代替の条件を記憶し、
上記代替資材検索部は、更に、代替資材コードと対応付けられている代替の条件を読み出し、
上記代替情報出力部は、更に、代替資材検索部により読み出された代替の条件を出力することを特徴とする。
【００１３】
この発明に係る代替情報管理方法は、以下の要素を有することを特徴とする。
（１）代替される資材である被代替資材を特定する被代替資材コードと、代替する資材である代替資材を特定する代替資材コードとを対応付けて記憶する工程、
（２）見積対象となる資材である見積対象資材を特定する見積対象資材コードを含む見積依頼情報を入力する工程、
（３）代替情報データベースから、見積依頼情報に含まれる見積対象資材コードと一致する被代替資材コードを検索し、一致した被代替資材コードと対応付けられている代替資材コードを読み出す工程、
（４）読み出された代替資材コードにより特定される代替資材についての情報を出力する工程。
【００１４】
この発明に係るプログラムを記録したコンピュータ読み取り可能な記録媒体は、代替情報管理装置となるコンピュータに、以下の処理を実行させるためのプログラムを記録したコンピュータ読み取り可能な記録媒体であることを特徴とする。
（１）代替される資材である被代替資材を特定する被代替資材コードと、代替する資材である代替資材を特定する代替資材コードとを対応付けて記憶する処理、
（２）見積対象となる資材である見積対象資材を特定する見積対象資材コードを含む見積依頼情報を入力する処理、
（３）代替情報データベースから、見積依頼情報に含まれる見積対象資材コードと一致する被代替資材コードを検索し、一致した被代替資材コードと対応付けられている代替資材コードを読み出す処理、
（４）読み出された代替資材コードにより特定される代替資材についての情報を出力する処理。
【００１５】
この発明に係るプログラムは、代替情報管理装置となるコンピュータに、以下の手順を実行させるためのプログラムであることを特徴とする。
（１）代替される資材である被代替資材を特定する被代替資材コードと、代替する資材である代替資材を特定する代替資材コードとを対応付けて記憶する手順、
（２）見積対象となる資材である見積対象資材を特定する見積対象資材コードを含む見積依頼情報を入力する手順、
（３）代替情報データベースから、見積依頼情報に含まれる見積対象資材コードと一致する被代替資材コードを検索し、一致した被代替資材コードと対応付けられている代替資材コードを読み出す手順、
（４）読み出された代替資材コードにより特定される代替資材についての情報を出力する手順。
【発明の効果】
【００１６】
本発明においては、代替情報データベースを用いて、代替情報を見積依頼者へ提示するので、購買の対象を広い範囲から選定することができるようになる。これにより、有利な購買条件を得やすくなる。
【００１７】
資材提供者からの見積回答情報と併せて代替情報を取得し、蓄積するので、代替情報を収集しやすくなる。具体的に需要のある資材に関する代替情報の収集が促進される。
【００１８】
資材提供者から、見積とは無関係に代替情報を取得し、蓄積するので、資材提供者側の契機による代替情報の収集が行われやすくなる。例えば、新製品が代替資材として活用できる場合に、その新製品情報のリリースに併せて、代替情報を蓄積できるメリットがある。
【００１９】
代替情報の登録する前に、登録の適否を確認するので、代替による問題の発生を事前に排除することができる。例えば、代替により品質上のトラブルが生じる恐れがある場合に、その代替情報を排除し、品質の管理を行うことができる。また、資材提供者の供給能力に問題がある場合にも対処できる。
【００２０】
資材提供者毎に、代替情報提供回数を管理し、その回数に応じて代替資材ついての情報の表示画面を生成するので、資材提供者は取引上の優位を確保するために積極的に代替情報を提供するようになり、情報収集の促進が図られる。
【００２１】
代替情報と併せて購買規格情報を提供するように構成したので、代替資材の採用の検討が容易になる。
【００２２】
代替資材コードと併せて代替の条件を取得し、見積依頼部門に提供するので、代替適否の判断が容易になる。特に、資材提供者側に開示しない要求仕様について、見積依頼部門側で検討できる点においてメリットがある。
【発明を実施するための最良の形態】
【００２３】
実施の形態１．
図１は、システム全体の構成図である。
代替情報管理サーバ１（代替情報管理装置の例）は、社内網（イントラネット）を介して見積依頼部門のシステム１０１〜１０３と接続している。また、インターネットを介して資材提供者のシステム２０１〜２０３と接続している。但し、これらのネットワークに限らず、他のネットワークを用いても良い。
【００２４】
見積依頼部門のシステム１０１〜１０３は、購買の候補である資材の見積依頼情報を代替情報管理サーバ１に送信し、代替情報管理サーバ１は、その資材を提供する資材提供者のシステム２０１〜２０３に見積要求情報として転送する。一方、資材提供者のシステム２０１〜２０３は、その資材についての見積回答情報と、その資材の代替資材に関する代替情報を、代替情報管理サーバ１に返送する。代替情報管理サーバ１は、見積依頼情報を送信した見積依頼部門のシステムに見積回答情報を転送し、代替情報をデータベースに蓄積するように動作する。
【００２５】
図２は、実施の形態１における代替情報管理サーバの構成図である。
１１は、見積依頼受信部（見積依頼入力部の例）、１２は、代替資材検索部、１３は、代替情報データベース、１４は、代替情報送信部（代替情報出力部の例）、１５は、見積要求送信部、１６は、見積回答受信部、１７は、代替情報登録部、１８は、見積回答送信部である。
【００２６】
続いて、動作について説明する。
図３は、実施の形態１におけるメインフローを示す図である。
見積依頼受信部１１は、見積依頼部門のシステムから見積依頼情報と、資材提供者コードを受信する（Ｓ３０１）。この例では、見積依頼情報は、見積の対象である資材を特定する見積対象資材コードと、希望納期と、希望数量と、希望単価と含んでいる。資材提供者コードは、見積対象の資材を提供する資材提供者を特定する為の情報である。但し、代替情報管理サーバ１で、見積対象資材に対応して資材提供者を特定できる場合には、資材提供者コードを入力する必要はない。代替情報管理サーバ１は、予め見積対象資材コードに対応付けて資材提供者コードを管理し、見積依頼情報に含まれる見積対象資材コードから資材提供者コードを特定することができる。
【００２７】
次に、代替情報送信部１４は、見積依頼情報を送信してきた見積依頼部門のシステムに代替情報を提示する（Ｓ３０２）。これは、当初見積依頼部門が購買の候補にしている資材に、代替可能な資材（たとえば、互換部品）がある場合に、それらの情報を提示し、購買の候補としての検討を促す為の処理である。
【００２８】
ここで、Ｓ３０２の処理について詳細に説明する。
図４は、実施の形態１における代替情報の提示に関する処理フローを示す図である。
代替資材検索部１２は、代替情報データベース１３から代替資材を検索する（Ｓ４０１）。代替情報データベース１３には、代替される資材である被代替資材を特定する被代替資材コードと、代替する資材である代替資材を特定する代替資材コードとが対応付けられている。図５は、代替情報データベースの構成例を示す図である。例えば、最初のレコードは、”ＸＹＺ−００００１”の資材の代りに、”ＸＸＸ−００００１”の資材を用いることができるという関係を示している。
代替資材検索部１２は、見積依頼情報に含められる見積対象資材コードをキーとして、一致する被代替資材コードを有するレコードを探し出し、そのレコードに含まれる代替資材コードを取得する。一致する被代替資材コードを有するレコードが複数ある場合にを、それらの代替資材コードを取得する。例えば、この例で、”ＸＹＺ−００００１”を見積対象資材コードとして入力した場合には、”ＸＸＸ−００００１”と”ＹＹＹ−００００１”と”ＺＺＺ−００００１”の３つの代替資材コードが得られる。
【００２９】
代替資材が無かった場合には、処理を終了し、代替資材があった場合には、見積依頼部門のシステムへの代替情報の送信を行う（Ｓ４０２、Ｓ４０３）。代替情報には、見積対象資材についての情報と、代替資材についての情報が含まれている。この例では、見積対象資材についての情報として、見積対象資材コードと見積対象資材名を用い、代替資材についての情報として、代替資材コードと代替資材名を用いている。但し、コードのみ、あるいは名称のみであっても構わない。資材コードと資材名については、図示しないデータベースにより対応付けられている。代替情報送信部１４は、これらの情報を表示画面に盛り込んで、見積依頼部門のシステムに送信する。表示画面は、例えば、ＨＴＭＬ等のページ記述言語により記述することも有効である。
尚、代替資材が無かった場合に、代替資材が登録されていない旨を、見積依頼部門のシステムに送信することも有効である。
【００３０】
このようにして代替資材についての情報を得た見積依頼者は、図３に示すように、代替資材についての見積依頼を追加することが出来る（Ｓ３０３）。この場合、前述のＨＴＭＬ文書により表示されている代替資材を選択し、見積依頼部門のシステムから代替情報管理サーバ１にその情報を送信することにより、代替情報管理サーバ１は、先に受信した見積依頼情報に含まれる見積対象資材コードを代替資材コードに置き換えた見積依頼情報を生成する。新たに生成された見積依頼情報の送信先となる資材提供者のコードとして、先に受信した資材提供者コードを用いる構成としてもよい。あるいは、改めて資材提供者コードを受信するようにしてもよい。また、予め代替資材に対応付けて資材提供者コード登録しておいてもよい。
【００３１】
次に、資材提供者コードで特定される資材提供者のシステムから見積回答と代替情報を取得する（Ｓ３０４）。
【００３２】
ここで、Ｓ３０４の処理について詳細に説明する。
図６は、実施の形態１における見積回答と代替情報取得に関する処理フローである。見積要求送信部１５は、資材提供者コードで特定される資材提供者のシステムへ、見積要求情報を送信する（Ｓ６０１）。見積要求情報には、見積依頼情報と同等の内容が含まれている。
【００３３】
その後、見積回答受信部１６は、見積回答情報を受信する。見積回答情報には、見積対象資材コードの他に、回答納期、回答数量、回答単価等が含まれている。また、代替資材がある場合には、資材提供者のシステムはその代替資材コードを併せて送信してくるので、代替情報として代替資材コードも受信する（Ｓ６０２）。
【００３４】
見積回答情報は、見積回答送信部１８から見積依頼部門のシステムへ送信される（Ｓ６０３）。
【００３５】
代替情報である代替資材コードを併せて受信した場合には、代替情報の登録処理を行う（Ｓ６０４、Ｓ６０５）。代替情報を受信していない場合には、処理を終了する。
【００３６】
ここで、Ｓ６０５の処理について詳細に説明する。
図７は、代替情報の登録処理フローを示す図である。
代替情報登録部１７は、見積回答受信部１６から見積対象資材コードと代替資材コードを対応付けて取得し、代替情報として登録して良いか否かの判断を促す確認画面を出力する（Ｓ７０１）。この例では、見積依頼部門のシステムに対してこの画面を送信する。但し、代替情報管理サーバ１のコンソールに出力し、システム管理者に対して確認を促すようにしても良い。
これにより、代替品への評価を加えることになる。
【００３７】
代替情報登録部１７は、回答として登録適否の確認を入力する（Ｓ７０２）。この例では、見積依頼部門のシステムから確認の情報を受信する。前述のようにシステム管理者が確認する場合は、コンソールから入力する。
【００３８】
確認結果が、否の場合には、登録せずに処理を終了する（Ｓ７０３）。確認結果が、適の場合には、見積対象資材コードを被代替資材コードとして、代替資材コードと対応付けて、代替情報データベース１３に登録して、終了する。但し、重複する場合には登録を行わない。
このようにして、資材提供者から見積回答と併せて提供された代替情報が蓄積される。
【００３９】
上述の例では、見積依頼者がネットワークを介してアクセスする例を示したが、本サーバのコンソールから直接アクセスすることも有効である。
【００４０】
実施の形態２．
本実施の形態では、見積回答とは別に、資材提供者から代替情報の提供を受け、蓄積する形態について説明する。
図８は、実施の形態２における代替情報管理サーバの構成図である。本構成においては、代替情報受信部１９が追加されている。他の構成は、図２と同様である。見積回答受信部１６と見積回答送信部１８については、省略している。
【００４１】
図９は、実施の形態２における代替情報取得に関する処理フローである。
代替情報受信部１９は、代替情報を単独で受信する（Ｓ９０１）。代替情報は、被代替資材コードと代替資材コードを対応付けた情報である。代替情報登録部１７は、前述の図７の処理と同様の登録処理を行う（Ｓ９０２）。
【００４２】
実施の形態３．
本実施の形態では、資材提供者毎に、代替情報の提供回数を累計として管理し、その回数の多い資材提供者に対して有利な扱いを行う形態について説明する。
図１０は、実施の形態３における代替情報管理サーバの構成図である。本実施の形態では、代替情報提供回数記憶部２０が追加されている。
【００４３】
図１１は、実施の形態３における見積回答と代替情報取得に関する処理フローである。Ｓ６０１〜Ｓ６０４は、図６の処理と同様である。Ｓ６０５では、図６の処理に加えて、資材提供者コードも対応付けて登録する。
【００４４】
代替情報登録部１７は、代替情報の登録の都度、代替情報提供回数記憶部２０の代替情報提供回数を１ずつ加える（Ｓ１１０１）。これにより、資材提供者毎の代替情報提供回数を管理することができる。
【００４５】
図１２は、代替情報提供回数記憶部の構成例を示す図である。資材提供者毎に資材提供者コードと、代替情報提供回数とを対応付けて記憶している。
【００４６】
続いて、代替情報提供回数の活用について説明する。
図１３は、実施の形態３における代替情報の提示に関する処理フローを示す図である。Ｓ４０１は、図４の処理と同様であるが、資材提供者コードも併せて取得する。
【００４７】
代替情報送信部１４は、代替資材コードと併せて資材提供者コードを受け取り、その資材提供者コードに対応する代替情報提供回数を代替情報提供回数記憶部２０から読み込む（Ｓ１３０１）。代替資材が複数ある場合には、それぞれにその資材提供者コードに対応する代替情報提供回数を読み込む。
【００４８】
代替情報送信部１４は、代替情報提供回数に応じた形式で、代替資材についての情報を表示するように表示画面を生成する（Ｓ１３０２）。例えば、代替情報提供回数が多い順に、上から代替資材についての情報を配列する。あるいは、代替情報提供回数が多いものについては、代替資材についての情報を大きく表示したり、修飾を施したりすることも有効である。他に、代替資材についての情報に対応つけて、資材提供者名と代替情報提供回数を表示することなども考えられる。これらの画面は、前述のように、例えばページ記述言語により記述される。
【００４９】
このようにした情報を、図４の処理と同様に送信する（Ｓ４０３）。
【００５０】
このような活用の他に、見積採否の決定の際に、代替情報提供回数を提供するようにすることも有効である。
【００５１】
実施の形態４．
本実施の形態では、見積回答とは別に、資材提供者から代替情報の提供を受け、蓄積する際に、代替情報提供回数を更新する形態について説明する。
図１４は、実施の形態４における代替情報管理サーバの構成図である。図１０と同様に、代替情報提供回数記憶部２０を備えている。
【００５２】
図１５は、実施の形態４における代替情報取得に関する処理フローである。Ｓ９０１とＳ９０２は、図９と同様であるが、Ｓ９０２では、資材提供者コードも対応付けて登録する。
【００５３】
更に、代替情報登録部１７は、実施の形態３と同様に、代替情報提供回数を更新する（Ｓ１５０１）。
【００５４】
代替情報提供回数の活用については、実施の形態３と同様である。
【００５５】
実施の形態５．
本実施の形態では、代替情報データベース１３で被代替資材コードに対応付けて購買規格コードを管理して、代替情報を送信する際に、購買規格情報を併せて送信する形態について説明する。
【００５６】
図１６は、実施の形態５における代替情報管理サーバの構成図である。購買規格データベース３０に接続し、購買規格コードに対応する購買規格情報を参照できるように構成されている。購買規格情報とは、例えば外見寸法、電気特性などの製品仕様や、不良率などの受入条件のような資材に関する規格の情報である。
【００５７】
代替情報データベース１３は、被代替資材コードに対応付けて購買規格コードを登録するように構成されている。購買規格コードの登録は、見積依頼の際、あるいは見積依頼とは別に行われるように構成することができる。
図１７は、代替情報データベースの第２の構成例を示す図である。
【００５８】
代替資材検索部１２は、代替情報の検索の際に、購買規格コードを併せて取得し、代替情報送信部１４は、購買規格コードに対応する購買規格情報を購買規格データベース３０から読み出し、代替情報と併せて送信する。
【００５９】
尚、購買規格情報を、資材提供者に開示するように構成することも可能である。これにより、代替情報の妥当性を資材提供者側で検討できるというメリットがある。
【００６０】
実施の形態６．
見積回答とは別に、資材提供者から代替情報の提供を受け、蓄積する構成においても、購買規格情報を提示することは有効である。
【００６１】
図１８は、実施の形態６における代替情報管理サーバの構成図である。動作は、実施の形態５と同様に行われる。
【００６２】
実施の形態７．
本実施の形態では、資材提供者から代替情報を取得する際に、併せて代替の条件を取得し、その条件を見積依頼部門に開示する形態について説明する。
図１９は、実施の形態７における代替情報管理サーバの構成図である。代替情報データベース１３は、代替資材コードに対応付けて代替の条件を記憶するように構成されている。図２０は、代替情報データベースの第３の構成例を示す図である。
【００６３】
続いて、動作について説明する。見積回答受信部１６は、見積回答受信の際に、代替資材コードと併せて代替の条件を受信する。代替情報登録部１７は、代替情報の登録の際に、代替の条件を併せて登録する。
【００６４】
代替資材検索部１２は、代替資材の検索の際に、代替資材コードと併せて代替の条件を取得し、代替情報送信部１４は、代替の条件を併せて送信する。
【００６５】
実施の形態８．
本実施の形態では、見積回答とは別に、資材提供者から代替情報の提供を受ける構成で、代替の条件も併せて取得する形態について説明する。
図２１は、実施の形態８における代替情報管理サーバの構成図である。代替情報データベース１３は、実施の形態７と同様に構成されている。
【００６６】
代替情報受信部１９は、代替情報の受信の際に、代替資材コードと併せて代替の条件を受信する。代替情報登録部１７は、代替情報の登録の際に、代替の条件を併せて登録する。
【００６７】
代替情報の提示については、実施の形態７と同様である。
【００６８】
上述の代替情報管理サーバは、コンピュータであり、各要素はプログラムにより処理を実行することができる。また、プログラムを記憶媒体に記憶させ、記憶媒体からコンピュータに読み取られるようにすることができる。
【図面の簡単な説明】
【００６９】
【図１】システム全体の構成図である。
【図２】実施の形態１における代替情報管理サーバの構成図である。
【図３】実施の形態１におけるメインフローを示す図である。
【図４】実施の形態１における代替情報の提示に関する処理フローを示す図である。
【図５】代替情報データベースの構成例を示す図である。
【図６】実施の形態１における見積回答と代替情報取得に関する処理フローである。
【図７】代替情報の登録処理フローを示す図である。
【図８】実施の形態２における代替情報管理サーバの構成図である。
【図９】実施の形態２における代替情報取得に関する処理フローである。
【図１０】実施の形態３における代替情報管理サーバの構成図である。
【図１１】実施の形態３における見積回答と代替情報取得に関する処理フローである。
【図１２】代替情報提供回数記憶部の構成例を示す図である。
【図１３】実施の形態３における代替情報の提示に関する処理フローを示す図である。
【図１４】実施の形態４における代替情報管理サーバの構成図である。
【図１５】実施の形態４における代替情報取得に関する処理フローである。
【図１６】実施の形態５における代替情報管理サーバの構成図である。
【図１７】代替情報データベースの第２の構成例を示す図である。
【図１８】実施の形態６における代替情報管理サーバの構成図である。
【図１９】実施の形態７における代替情報管理サーバの構成図である。
【図２０】代替情報データベースの第３の構成例を示す図である。
【図２１】実施の形態８における代替情報管理サーバの構成図である。
【符号の説明】
【００７０】
１１  見積依頼受信部、１２  代替資材検索部、１３  代替情報データベース、１４  代替情報送信部、１５  見積要求送信部、１６  見積回答受信部、１７  代替情報登録部、１８  見積回答送信部、２０  代替情報提供回数記憶部、３０  購買規格データベース。
【図１】
2005259159.tif 000003
【図２】
2005259159.tif 000004
【図３】
2005259159.tif 000005
【図４】
2005259159.tif 000006
【図５】
2005259159.tif 000007
【図６】
2005259159.tif 000008
【図７】
2005259159.tif 000009
【図８】
2005259159.tif 000010
【図９】
2005259159.tif 000011
【図１０】
2005259159.tif 000012
【図１１】
2005259159.tif 000013
【図１２】
2005259159.tif 000014
【図１３】
2005259159.tif 000015
【図１４】
2005259159.tif 000016
【図１５】
2005259159.tif 000017
【図１６】
2005259159.tif 000018
【図１７】
2005259159.tif 000019
【図１８】
2005259159.tif 000020
【図１９】
2005259159.tif 000021
【図２０】
2005259159.tif 000022
【図２１】
2005259159.tif 000023